(57)【要約】      （修正有）【課題】ユーザーが、各歌曲の関連属性によって、歌風格識別機構で、快速且つ正確的に歌曲を検索できる歌風格識別装置を提供する。【解決手段】遠隔制御機構と、上記の遠隔制御機構に接続されるスプリットバックスと、上記のスプリットバックスに接続され、少なくとも、通信インタフェースユニットと、通信インタフェースユニットに接続される歌風格制御ユニットが備えられ、該歌風格制御ユニットに、少なくとも、歌風格制御演算器と、多数の歌曲ユニットを有する歌曲データベースと、が備えられる一つの歌風格識別機構と、が含有される。【選択図】図２
0003145708.tif 000002
【実用新案登録請求の範囲】
【請求項１】
遠隔制御機構と、
上記の遠隔制御機構に接続されるスプリットバックスと、
上記のスプリットバックスに接続され、少なくとも、通信インタフェースユニットと、通信インタフェースユニットに接続される歌風格制御ユニットが備えられ、該歌風格制御ユニットに、少なくとも、歌風格制御演算器と、多数の歌曲ユニットを有する歌曲データベースと、が備えられる一つの歌風格識別機構と、が含有される、ことを特徴とする歌風格識別装置。
【請求項２】
該遠隔制御機構は、少なくとも、表示ユニットと制御ユニットが備えられることを特徴とする請求項１に記載の歌風格識別装置。
【請求項３】
該遠隔制御機構は、導線を介して、スプリットバックスに接続されることを特徴とする請求項１に記載の歌風格識別装置。
【考案の詳細な説明】
【技術分野】
【０００１】
本考案は、歌風格識別装置に関し、特に、ユーザーが、各歌曲の関連属性によって、歌風格識別機構で、快速且つ正確的に歌曲を検索できる歌風格識別装置に関する。
【背景技術】
【０００２】
一般として、マルチメディアビデオ−オーディオをダウンロードする時、コンピュータ等の制御装置を、インターネットを介して関連するマルチメディアデータ提供ウエブサイトに接続し、ユーザーが、該マルチメディアデータ提供ウエブサイトから、必要とするマルチメディアデータを、コンピュータに接続される制御装置にダウンロードして格納し、コンピュータに接続される制御装置で、ソフトウェア／ハードウェアインタフェースに合わせて制御して、該マルチメディアデータを出力するだけでなく、必要とする再生（或いは格納）機構を、コンピュータに接続される制御装置に接続して、再生（或いは格納）機構が、コンピュータに接続される制御装置に格納されているマルチメディアデータを捕獲でき、これにより、ユーザーが、再生（或いは格納）機構で、必要とするビデオ−オーディオに格納されたマルチメディアデータを、再生できる
【０００３】
上記の方式によれば、ユーザーが、再生（或いは格納）機構で、必要とするビデオ−オーディオマルチメディアデータを、格納と再生をできるが、それらのマルチメディアデータは、ダウンロードされる時、そのファールに、一般として、歌曲名とファールフォーマットだけが示されるため、ダウンロードした後、ユーザーにより、名前をつけて保存し、また、自分により定義された論理入力番号や歌手、歌曲名或いは他の関連するデータの情報を付けることにより、その後のサーチ処理に供され、しかしながら、一般のユーザーは、大雑把に分類しかできず、ファールの内容属性に従って細かく分類することができなく、また、該再生（或いは格納）機構が、該ビデオ−オーディオマルチメディアデータの自己エンコードをサポートしない時、該再生（或いは格納）機構に、ランダム符号が表示され、そのため、ユーザーが、一々に再生してから、必要とするデータを見つけ、これにより、ユーザーが、数多いビデオ−オーディオデータから、快速的に、必要とする関連データを捜すことができず、実用的とは言えない。
【考案の開示】
【考案が解決しようとする課題】
【０００４】
本考案の主な目的は、ユーザーが、各歌曲の相關属性により、歌風格識別機構で快速的且つ正確的にサーチできる歌風格識別機構を提供する。
【課題を解決するための手段】
【０００５】
本考案は、上記の目的を達成するため、遠隔制御機構と、上記の遠隔制御機構に接続されるスプリットバックスと、上記のスプリットバックスに接続され、少なくとも、通信インタフェースユニットと、通信インタフェースユニットに接続される歌風格制御ユニットが備えられ、該歌風格制御ユニットに、少なくとも、歌風格制御演算器と多数の歌曲ユニットを有する歌曲データベースとが備えられる一つの歌風格識別機構とが含有される歌風格識別装置である。
【考案を実施するための最良の形態】
【０００６】
図１と図２、図３及び図４は、それぞれ、本考案の基本構造概念図と本考案のフロック概念図、本考案の使用流れ概念図及び本考案の注記部概念図である。図のように、本考案は、歌風格識別装置であり、少なくとも、遠隔制御機構１と、スプリットバックス２と、少なくとも、一つの歌風格識別機構３とから構成され、ユーザーが、歌風格識別機構３で、各歌曲の相關属性により、快速的且つ正確的にサーチできる。
【０００７】
上記の遠隔制御機構１は、少なくとも、表示ユニット１１と制御ユニット１２が備えられ、また、該遠隔制御機構１は、イヤホンやリモコン、キーボード或いは操作パネル等である。
【０００８】
該スプリットバックス２は、導線や有線ネットワーク、無線ネットワーク、赤外線伝送或いはブルートゥースプロトコルにより、上記の遠隔制御機構１に接続される。
【０００９】
各歌風格識別機構３は、上記のスプリットバックス２に接続され、また、該歌風格識別機構３は、少なくとも、通信インタフェースユニット３１と通信インタフェースユニット３１に接続される歌風格制御ユニット３２が備えられ、また、該歌風格制御ユニット３２は、少なくとも、歌風格制御演算器３３と多数の歌曲ユニット３５を有する歌曲データベース３４があり、また、各歌曲ユニット３５は、それぞれ、歌曲部３５１と注記部３５２が備えられ、そして、該注記部３５２は、少なくとも、開始記号区３５２０と注記区３５２１、歌手区３５２２、歌曲名区３５２３、歌風格区３５２４、自己設定区３５２５、再生回数区３５２６、エンコードフォーマット区３５２７、シリアル番号区３５２８及び終端記号区３５２９が含まれる。上記の構造により、新規の歌風格識別装置が構成される。
【００１０】
本考案によれば、該遠隔制御機構１がイヤホン制御器１０を例とし、各歌風格識別機構３は、スプリットバックス２が、ＭＰ３や光ディスク装置、焼付け器、コンピュータ等の再生器であり、ここでは、ＭＰ３再生器３０を例とし、該ＭＰ３再生器４は、少なくとも、表示ユニット３０１と制御ユニット３０２が備えられる。
【００１１】
本考案によると、ユーザーが、該イヤホン制御器１０の制御ユニット１２で、必要とする歌手や歌曲名、歌風格、言語等の歌曲サーチのキーワードを入力して、それらのキーワードが、通信インタフェースユニット３１を介して、歌風格制御ユニット３２の歌風格制御演算器３３に伝送され、これにより、歌風格制御演算器３３が、歌曲データベース３４に対して、各歌曲ユニット３５の注記部３５２をサーチし、その後、各注記部３５２の開始記号区３５２０や注記区３５２１、歌手区３５２２、歌曲名区３５２３、歌風格区３５２４、自己設定区３５２５、再生回数区３５２６、エンコードフォーマット区３５２７、シリアル番号区３５２８及び終端記号区３５２９を演算して、それらのキーワード符合する歌曲ユニット３５を捜し、イヤホン制御器１０の表示ユニット１１で、演算した後の歌曲ユニット３５を出力し、これにより、ユーザーが、制御ユニット１２で、必要とする歌曲ユニット３５の歌曲部３５１を選択して、関連する再生や、その後の必要とする処理を行う。
【００１２】
以上のように、本考案に係る歌風格識別装置は、有効に従来の諸欠点を改善でき、ユーザーが、歌風格識別機構で、各歌曲の関連属性により、快速的且つ正確的にサーチでき、そのため、本考案は、より進歩的かつより実用的で、法に従って実用新案登録請求を出願する。
【００１３】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１４】
【図１】本考案の基本構造概念図
【図２】本考案のフロック概念図
【図３】本考案の使用流れ概念図
【図４】本考案の注記部概念図
【符号の説明】
【００１５】
１      遠隔制御機構
１０    イヤホン制御器
１１    表示ユニット
１２    制御ユニット
２      スプリットバックス
３      歌風格識別機構
３０    ＭＰ３再生器
３０１  表示ユニット
３０２  制御ユニット
３１    通信インタフェースユニット
３２    歌風格制御ユニット
３３    歌風格制御演算器
３４    歌曲データベース
３５    歌曲ユニット
３５１  歌曲部
３５２  注記部
３５２０    開始記号区
３５２１    注記区
３５２２    歌手区
３５２３    歌曲名区
３５２４    歌風格区
３５２５    自己設定区
３５２６    再生回数区
３５２７    エンコードフォーマット区
３５２８    シリアル番号区
３５２９    終端記号区
【図１】
0003145708.tif 000003
【図２】
0003145708.tif 000004
【図３】
0003145708.tif 000005
【図４】
0003145708.tif 000006